(57)【要約】【課題】家庭用の浴槽に取り付けられ栓の着脱が容易に安全に行える装置を提供する。【解決手段】手で紐状部材３を引っ張りながら駒部材１１を下方に押圧すれば、駒部材１１が栓７の上部に対して棒状に連結する。そして、この棒状になったものを浴槽５の外から手で動かすことで、浴槽５の底にある栓７に対して、引っ張ったり押したりの力のほか、モーメントを与えることができ、栓７の着脱が容易に安全に行える。このとき、押圧具１３の筒状本体１３Ａを水平に持ち上げることで、筒状本体１３Ａの下端のフランジ部３３と駒部材１１の最上端のフランジ部３１とが略直角になり、これにより紐状部材３が引っ張られ駒部材１１が下方に押圧され棒状に連結できる。【選択図】図1
2006305206.tif 000002
【特許請求の範囲】
【請求項１】
浴槽の栓の上部に接続され浴槽の固定部に固定される紐状部材と、この紐状部材に貫通されて上方から押圧されることで栓の上部に対して棒状に連結する複数の駒部材と、を有してなることを特徴とする浴槽栓の着脱装置。
【請求項２】
前記栓の上部は平面部を有し、前記複数の駒部材は、この平面部に接する半球殻状のベース駒部材と、このベース駒部材の上方に連結する複数の略筒状の中間駒部材と、中間駒部材の上方に連結する略筒状の棒材と、を有してなることを特徴とする請求項1に記載の浴槽栓の着脱装置。
【請求項３】
前記栓の上部は平面部を有し、前記複数の駒部材は、この平面部に接する半球殻状のベース駒部材と、このベース駒部材の上方に連結し下部と上部とに平面部を有する略球状の複数の中間駒部材と、を有してなることを特徴とする請求項1に記載の浴槽栓の着脱装置。
【請求項４】
前記複数の駒部材の上方には、駒部材を押圧して棒状にするための押圧具が設けられ、この押圧具は、駒部材の最上端の部分に接して前記紐部材に貫通される筒状本体と、前記駒部材の最上端の部分および前記筒状本体の下端に形成されるフランジ部分と、からなることを特徴とする請求項1、２、３に記載の浴槽栓の着脱装置。
【請求項５】
前記複数の駒部材の上方には、駒部材を押圧して棒状にするための押圧具が設けられ、この押圧具は、駒部材の最上端の部分に接して前記紐部材に貫通されるＬ字状の取手部材と、このＬ字状の内側部分に形成される切欠と、この切欠に直線状に露出する前記紐状部材を押してＬ字状に戻すレバーと、からなることを特徴とする請求項1、２、３に記載の浴槽栓の着脱装置。
【発明の詳細な説明】
【技術分野】
【０００１】
この発明は、浴槽の栓を容易に着脱するに関するための装置に関する。
【背景技術】
【０００２】
浴槽の掃除や温度管理などを行う際に、浴槽にお湯や水がたまった状態で、浴槽の底部の栓を着脱する必要がしばしばある。そのような場合に、服の袖をまくって、お湯や水の中に腕を突っ込み、栓を着脱するのは、なかなか困難なばかりか、まくった袖がぬれたりして不快でもある。また、体の不自由な人々には危険でもある。
【０００３】
下記の特許文献１には、栓を棒状の道具（掃除道具の柄）の先につけたフックで引っ掛けて外す技術が開示される。
また、特許文献２には、栓を裏側から開閉するための複雑な機構が開示される。
【特許文献１】実開平３−１６４８９
【特許文献２】実用新案登録２５６０７７６
【発明の開示】
【発明が解決しようとする課題】
【０００４】
しかしながら、特許文献１の技術は、栓を外すのはできても栓を取り付けるのは困難である。また、特許文献２のような複雑な機構は、家庭用の浴槽に取り付けることは費用の面などから非現実的である。
この発明は、以上の問題点を解決するために、家庭用の浴槽に取り付けられ栓の着脱が容易に安全に行える装置を提供することを目的とする。
【課題を解決するための手段】
【０００５】
以上の課題を解決するために、第一発明は、浴槽の栓の上部に接続され浴槽の固定部に固定される紐状部材と、この紐状部材に貫通されて上方から押圧されることで栓の上部に対して棒状に連結する複数の駒部材と、を有してなることを特徴とする浴槽栓の着脱装置である。
第二発明は、さらに、前記栓の上部は平面部を有し、前記複数の駒部材は、この平面部に接する半球殻状のベース駒部材と、このベース駒部材の上方に連結する複数の略筒状の中間駒部材と、中間駒部材の上方に連結する略筒状の棒材と、を有してなることを特徴とする浴槽栓の着脱装置である。
第三発明は、さらに、前記栓の上部は平面部を有し、前記複数の駒部材は、この平面部に接する半球殻状のベース駒部材と、このベース駒部材の上方に連結し下部と上部とに平面部を有する略球状の複数の中間駒部材と、を有してなることを特徴とする浴槽栓の着脱装置である。
第四発明は、さらに、前記複数の駒部材の上方には、駒部材を押圧して棒状にするための押圧具が設けられ、この押圧具は、駒部材の最上端の部分に接して前記紐部材に貫通される筒状本体と、前記駒部材の最上端の部分および前記筒状本体の下端に形成されるフランジ部分と、からなることを特徴とする浴槽栓の着脱装置である。
第五発明は、さらに、前記複数の駒部材の上方には、駒部材を押圧して棒状にするための押圧具が設けられ、この押圧具は、駒部材の最上端の部分に接して前記紐部材に貫通されるＬ字状の取手部材と、このＬ字状の内側部分に形成される切欠と、この切欠に直線状に露出する前記紐状部材を押してＬ字状に戻すレバーと、からなることを特徴とする浴槽栓の着脱装置である。
【発明の効果】
【０００６】
第一、第二、第三、第四、又は第五発明によれば、手で紐状部材を引っ張りながら駒部材を下方に押圧すれば、駒部材が栓の上部に対して棒状に連結する。そして、この棒状になったものを浴槽の外から手で動かすことで、浴槽の底にある栓に対して、引っ張ったり押したりの力のほか、モーメントを与えることができ、栓の着脱が容易に安全に行える。この装置の構成は簡単であり、家庭用の浴槽に容易に取り付けられる。
【０００７】
第二、第四、又は第五発明によれば、中間駒部材を略筒状とし、上方に略筒状の棒材を連結することで、少ない個数の駒部材で済み、より棒状になりやすく、よって操作がし易い。
第三、第四、又は第五発明によれば、略球状の複数の中間駒部材により成り、不使用時には柔らかく、入浴中に肌に触れても違和感が少ない。
第四によれば、押圧具の筒状本体を水平に持ち上げることで、筒状本体の下端のフランジ部と駒部材の最上端のフランジ部とが略直角になり、これにより紐状部材が引っ張られ駒部材が下方に押圧されるので、駒部材を栓の上部に対して棒状に容易に連結することができる。
【０００８】
第五発明によれば、押圧具の取手部材を持ち上げ、取手部材のＬ字状の内側部分に形成される切欠に直線状に露出する紐状部材を、レバーで押してＬ字状に戻すようにすれば、紐状部材が引っ張られる。また、取手部材のＬ字状の下端で駒部材が下方に押圧されるので、駒部材を栓の上部に対して棒状に容易に連結することができる。
【発明を実施するための最良の形態】
【０００９】
この発明の一実施形態を、図１〜図２に示す。
（概略）
この実施形態にかかる浴槽栓の着脱装置１は、紐状部材３の下端が、浴槽５の栓７の上部に接続され、上端が浴槽５の側壁９の上部などの固定部に固定される。この紐状部材３は、ワイヤーロープや丈夫なプラスチック繊維などを使用できる。複数の駒部材１１が、この紐状部材３に貫通される。押圧具１３により、紐状部材３が引っ張られ、複数の駒部材１１が上方から押圧される。これによって、複数の駒部材１１は、栓７の上部に対して棒状に連結する。
【００１０】
（駒部材１１）
駒部材１１は、ベース駒部材１５と中間駒部材１７と上方の略筒状の棒材１９とからなる。
そして、ベース駒部材１５は、いわば伏せた椀状の半球殻状をなし、中央に紐状部材３が貫通する孔２１を有する。半球殻状の円形の縁部２３が、栓７の上部に有する平面部２５に接する。
中間駒部材１７は、ベース駒部材１５の上方に連結し、略円筒状で複数が設けられる。略円筒状の下面は、半球状の凹部２７をなす。上面は、半球状の凸部２９をなす。凹部２７が凸部２９に嵌合する。中央に紐状部材３が貫通する孔２２を有する。
略筒状の棒材１９は、中間駒部材１７の上方に連結し、下端面は、半球状の凹部２８をなす。上端はフランジ部分３１を有する。中央に紐状部材３が貫通する孔３２を有する。
【００１１】
（押圧具１３）
押圧具１３は、略筒状の本体１３Ａを有し、棒材１９の上端に接して設けられる。筒状本体１３Ａの下端には、フランジ部分３３が形成される。中央に紐状部材３が貫通する孔３４を有する。
【００１２】
「実施形態の作用・効果」
この実施形態によれば、浴槽５の外で、押圧具１３の筒状本体１３Ａを手で持ち上げることで、紐状部材３がある程度引っ張られ、さらに筒状本体１３Ａを水平にすることで、筒状本体１３Ａの下端のフランジ部３３と棒材１９の最上端のフランジ部３１とが略直角になり、この略直角の部分に紐状部材３が強制的に露出され、これにより紐状部材３が強く引っ張られる。
【００１３】
また、筒状本体１３Ａの下端のフランジ部３３の角部により、棒材１９を介して駒部材１１が下方に押圧される。よって、駒部材１１が栓７の上部に対して棒状に連結する。
【００１４】
そして、この棒状になったものを浴槽５の外から手で動かすことで、浴槽５の底にある栓７に対して、引っ張っるだけでなく、押す力も加えられる。また、これらの力のほか、棒状に連結したものを傾けることで栓７にモーメントを与えることができ、栓７の着脱が容易に行える。
【００１５】
さらに、駒部材１１のうち、中間駒部材１７を略筒状とし、上方に略筒状の棒材１９を連結することで、少ない個数の駒部材１１で済み、より棒状になりやすく、よって操作がし易い。
この装置の構成は簡単であり、家庭用の浴槽５の栓７に容易に取り付けられる。
「他の実施形態」
（１）以上の実施形態では、略筒状の中間駒部材１７や棒材１９を連結することで、少ない個数の駒部材１１で済ませるものであったが、他の実施形態では、略球状のやや個数の多い駒部材でも良い。
【００１６】
すなわち、図３〜図４に示すように、栓７の上部は平面部２５を有し、複数の駒部材１１は、この平面部２５に接する半球殻状のベース駒部材４１と、このベース駒部材４１の上部の平面部４３に接して連結し、下部と上部とに平面部４５を有する略球状の複数の中間駒部材４７と、を有してなる。
【００１７】
略球状のやや個数の多い駒部材１１を使用することで、不使用時には柔らかく感じられ、入浴中に肌に触れても違和感が少ない。
【００１８】
（２）また、以上の実施形態では、フランジ部３３を有する押圧具１３を有したが、他の実施形態では、紐状部材３を押すレバー４９を有する押圧具１３を有するものでもよい。
すなわち、複数の駒部材１１の上方には、駒部材１１を押圧して棒状にするための押圧具１３が設けられる。この押圧具１３は、駒部材１１の最上端の平面部４５に接して、紐状部材３に貫通されるピストル型のＬ字状の形状を備える。このＬ字状の内側部分に形成される切欠５１には、紐状部材３が直線状に露出する。切欠５１の上方には、レバー４９が回動自在に設けられ、紐状部材３を押してＬ字状に戻す機能を有する。
【００１９】
そして、押圧具１３を持ち上げ、Ｌ字状の内側部分に形成される切欠５１に直線状に露出する紐状部材３を、レバー４９を指で引っ張ることで押して、Ｌ字状に戻すようにすれば、紐状部材３が引っ張られる。また、押圧具１３のＬ字状の下端で駒部材１１が下方に押圧されるので、駒部材１１を栓７の上部に対して棒状に容易に連結することができる。
【００２０】
（３）以上の実施形態では、紐状部材３を引っ張りながら駒部材１１を下方に押圧するために押圧具１３を備えるものであったが、他の実施形態では、例えば左手で紐状部材３を引っ張りながら右手で駒部材１１を下方に押圧すれば、駒部材１１を栓７の上部に対して棒状に連結することができるので、押圧具１３は無くてもかまわない。
【図面の簡単な説明】
【００２１】
【図１】この発明の一実施形態を示す全体断面図で、（Ａ）は不使用時の図、（Ｂ）は使用時の図である。
【図２】図１の要部の拡大図で、（Ａ）は使用時の縦断面図、（Ｂ）は（Ａ）の中間駒部材の斜視図、（Ｃ）は（Ａ）のベース駒部材の斜視図である。
【図３】この発明の他の実施形態を示す全体断面図で、（Ａ）は不使用時の図、（Ｂ）は使用時の図である。
【図４】図３の要部の拡大図で、（Ａ）は使用時の縦断面図、（Ｂ）は（Ａ）の中間駒部材の斜視図、（Ｃ）は（Ａ）のベース駒部材の斜視図である。
【符号の説明】
【００２２】
１…着脱装置、３…紐状部材、５…浴槽、７…栓、９…側壁、１１…駒部材、１３…押圧具、１３Ａ・・筒状本体、１５、４１…ベース駒部材、１７、４７…中間駒部材、１９…棒材、２１、２２、３２、３４…孔、２３…縁部、２５、４３、４５…平面部、２７…凹部、２９…凸部、３１、３３…フランジ部分、４９・・レバー、５１・・切欠。
【図１】
2006305206.tif 000003
【図２】
2006305206.tif 000004
【図３】
2006305206.tif 000005
【図４】
2006305206.tif 000006